(57)【要約】【課題】画面の明るさを均一にしながら光漏れを抑制した、表示装置およびテレビジョン受信機を提供すること。【解決手段】表示装置は、映像を表示する表示パネルと、前記表示パネルの背面に配置されたバックライトの側面を覆う収容縁部を有し、前記バックライトを収容するバックライト収容体と、前記表示パネルの側面と前記収容縁部とを覆う額縁枠部を有し、前記表示パネルの縁を覆う前枠と、前記額縁枠部を覆う外装部を有する側面筐体と、前記側面筐体の内側に、前記表示パネルの背面側を向いた前記額縁枠部の端面に対向して設けられており、前記額縁枠部との間の距離が前記収容縁部と前記額縁枠部との間の距離よりも短い遮光部とを備える。【選択図】図７
2016213814.tif 000002
【特許請求の範囲】
【請求項１】
映像を表示する表示パネルと、
前記表示パネルの背面に配置されたバックライトの側面を覆う収容縁部を有し、前記バックライトを収容するバックライト収容体と、
前記表示パネルの側面と前記収容縁部とを覆う額縁枠部を有し、前記表示パネルの縁を覆う前枠と、
前記額縁枠部を覆う外装部を有する側面筐体と、
前記側面筐体の内側に、前記表示パネルの背面側を向いた前記額縁枠部の端面に対向して設けられており、前記額縁枠部との間の距離が前記収容縁部と前記額縁枠部との間の距離よりも短い遮光部と
を備えることを特徴とする表示装置。
【請求項２】
前記遮光部は、前記外装部の内面に前記端面に沿って設けられた突部であることを特徴とする請求項１に記載の表示装置。
【請求項３】
前記側面筐体は、前記外装部と連続しており前記バックライト収容体の背面の縁を覆う背面枠部を備え、
前記遮光部は、前記背面枠部が前記外装部に移行する部分に設けられていることを特徴とする請求項１に記載の表示装置。
【請求項４】
前記額縁枠部と前記遮光部との間の距離が０．５ミリメートル以下であることを特徴とする請求項１から請求項３のいずれか一つに記載の表示装置。
【請求項５】
請求項１から４のいずれか一つに記載の表示装置と、
テレビジョン放送を受信する受信部と
を備え、
前記受信部にて受信したテレビジョン放送に基づいて、前記表示装置に映像を表示するようにしてあることを特徴とするテレビジョン受信機。
【発明の詳細な説明】
【技術分野】
【０００１】
本発明は、画像を表示する表示装置およびテレビジョン受信機に関する。
【背景技術】
【０００２】
額縁状の前枠と保持体との間に液晶パネルを保持し、背面を覆うバックキャビネットと保持体との間に光学シートおよびバックライトを構成する拡散板等を保持した表示装置が開示されている（特許文献１）。特許文献１の表示装置では、バックキャビネットの内面には、外縁に沿って二重のリブが設けられている。二重のリブのうち、内側のリブは拡散板等の広面の辺縁部に当接して、液晶パネルの表示面に垂直な方向についての拡散板等の位置を規制する。一方外側のリブは拡散板等の側面に当接して、液晶パネルの表示面内方向についての拡散板等の位置を規制する。
【先行技術文献】
【特許文献】
【０００３】
【特許文献１】特開２０１４−２２５７６０号公報
【発明の概要】
【発明が解決しようとする課題】
【０００４】
特許文献１の表示装置に使用されている保持体は、バックライトの光が表示画面以外の場所から漏れる光漏れを防止する遮光部材を兼ねている。そのため、前枠およびバックキャビネットには、光漏れを抑制する機能は備わっていない。
【０００５】
近年、表示装置の狭額縁化が進んでいる。狭額縁の表示装置では、保持体が遮光部材を兼ねると、表示画面の辺縁部が遮光部材の影響を受けて暗くなってしまう。一方、表示画面の明るさを縁まで均一にするために保持体に透光性の部材を使用すると、表示画面以外の場所から光が漏れてしまうという問題があった。
【０００６】
本発明は、画面の明るさを均一にしながら光漏れを抑制した、表示装置およびテレビジョン受信機を提供する事を目的とする。
【課題を解決するための手段】
【０００７】
本発明にかかる表示装置は、映像を表示する表示パネルと、前記表示パネルの背面に配置されたバックライトの側面を覆う収容縁部を有し、前記バックライトを収容するバックライト収容体と、前記表示パネルの側面と前記収容縁部とを覆う額縁枠部を有し、前記表示パネルの縁を覆う前枠と、前記額縁枠部を覆う外装部を有する側面筐体と、前記側面筐体の内側に、前記表示パネルの背面側を向いた前記額縁枠部の端面に対向して設けられており、前記額縁枠部との間の距離が前記収容縁部と前記額縁枠部との間の距離よりも短い遮光部とを備えることを特徴とする。
【０００８】
本発明にかかる表示装置は、前記遮光部は、前記外装部の内面に前記端面に沿って設けられた突部であることを特徴とする。
【０００９】
本発明にかかる表示装置は、前記側面筐体は、前記外装部と連続しており前記バックライト収容体の背面の縁を覆う背面枠部を備え、前記遮光部は、前記背面枠部が前記外装部に移行する部分に設けられていることを特徴とする。
【００１０】
本発明にかかる表示装置は、前記額縁枠部と前記遮光部との間の距離が０．５ミリメートル以下であることを特徴とする。
【００１１】
本発明にかかるテレビジョン受信機は、上述のいずれか一つに記載の表示装置と、テレビジョン放送を受信する受信部とを備え、前記受信部にて受信したテレビジョン放送に基づいて、前記表示装置に映像を表示するようにしてあることを特徴とする。
【発明の効果】
【００１２】
画面の明るさを均一にしながら光漏れを抑制した、表示装置およびテレビジョン受信機を提供する事ができる。
【図面の簡単な説明】
【００１３】
【図１】実施の形態１の表示装置の外観斜視図である。
【図２】表示装置の主要部の分解斜視図である。
【図３】バックライト収容体の部分拡大図である。
【図４】側面筐体の斜視図である。
【図５】側面筐体の部分拡大図である。
【図６】側面筐体のVI−VI断面図である。
【図７】表示装置の部分断面図である。
【図８】実施の形態２の表示装置の部分断面図である。
【図９】実施の形態３の側面筐体の部分断面図である。
【図１０】実施の形態３の表示装置の部分断面図である。
【図１１】実施の形態４の表示装置の部分断面図である。
【図１２】実施の形態４の表示装置の側面筐体が変形した状態を説明する部分断面図である。
【発明を実施するための形態】
【００１４】
［実施の形態１］
図１は、実施の形態１の表示装置の外観斜視図である。表示装置１０は、表示パネル１２、前枠３０、側面筐体６０、入力基板１４および脚１３を備える。以下の説明では、各図中に矢印で示す前、後、左、右、上および下のそれぞれの向きを使用する。
【００１５】
表示装置１０の内部に設けられた入力基板１４は、外部からの映像信号の入力を受け付け、所定の信号処理を行なって生成した駆動信号を出力する基板である。表示パネル１２は、例えば液晶パネルであり、入力基板１４から入力された駆動信号に基づいて映像を表示する。本実施の形態においては、上下方向よりも左右方向の方が長い矩形の表示パネル１２を使用する。前枠３０は、表示パネル１２の縁を覆う略Ｌ字形断面の矩形の枠である。前枠３０の構造の詳細は後述する。側面筐体６０は、表示装置１０の側面を覆う外装部材である。側面筐体６０の形状は後述する。脚１３は、表示装置１０を床面または机の天面等の平面の上に立てる部材である。なお、表示装置１０は脚１３を備えず、壁等に直接固定されても良い。
【００１６】
図２は、表示装置１０の主要部の分解斜視図である。図２は、表示装置１０の右前方から見た図である。図２を使用して、表示装置１０の主要部の構造の概要を説明する。
【００１７】
表示装置１０は、前述した前枠３０、表示パネル１２および側面筐体６０と共に、光学シート１５、保持体４０、導光板１６、ＬＥＤ（Light Emitting Diode）基板１７、放熱板２１、バックライト収容体５０および背面筐体２２を備える。
【００１８】
光学シート１５は、光を拡散、収束等させる樹脂製シートである。光学シート１５は、拡散シート、プリズムシート等の複数のシートが積層されたものである。光学シート１５は、表示パネル１２の映像を表示する面と略同一形状である。
【００１９】
導光板１６は、たとえば透明度の高い矩形のアクリル板である。導光板１６の後面には、反射シート１８（図７参照）が設けられている。導光板１６および反射シート１８は、表示パネル１２と略同一形状である。
【００２０】
ＬＥＤ基板１７は、導光板１６の長辺と略同一長さの長板形状の回路基板である。ＬＥＤ基板１７の一面には、複数の白色ＬＥＤが実装されている。
【００２１】
放熱板２１は、アルミニウムまたは銅等の熱伝導性の高い金属製の板である。放熱板２１の左右方向は、導光板１６の長辺と略同一長さである。放熱板２１の上下方向は、導光板１６の上下方向の約四分の一の長さである。
【００２２】
前枠３０には、複数の穴部３５が設けられている。穴部３５は、前枠３０の全周にわたってほぼ均等に配置されている。
【００２３】
図３は、バックライト収容体５０の部分拡大図である。図３は右前方から見たバックライト収容体５０の左上部を拡大した拡大図である。バックライト収容体５０は、矩形の背面部５１および背面部５１の周縁に前向きに立ち上がる収容縁部５２を備えた箱体である。背面部５１と収容縁部５２とは略垂直である。収容縁部５２には、前枠３０に設けられた複数の穴部３５のそれぞれと対応する場所に爪部５５が設けられている。バックライト収容体５０は、鋼板をプレス加工して製作する。
【００２４】
保持体４０は、表示パネル１２、光学シート１５、導光板１６およびバックライト収容体５０を所定の位置関係に保持する保持部材である。保持体４０の材質は、白色の樹脂である。
【００２５】
背面筐体２２は、バックライト収容体５０の背面部５１と略同一形状の外形を有する樹脂製の外装部材である。
【００２６】
図２および図３を使用して、以上に説明した各部品の位置関係の概要を説明する。バックライト収容体５０に設けられた複数の爪部５５が前枠３０に設けられた穴部３５に嵌ることにより、前枠３０がバックライト収容体５０の開口部の前側に固定されている。バックライト収容体５０と前枠３０との間に、前側から順番に表示パネル１２、光学シート１５、導光板１６および反射シート１８が積層された状態で保持されている。表示パネル１２、光学シート１５および導光板１６を所定の間隔で保持した保持体４０は、バックライト収容体５０の縁に固定されている。
【００２７】
バックライト収容体５０の縁は、側面筐体６０に覆われている。バックライト収容体５０の背面部５１は、背面筐体２２に覆われている。なお、バックライト収容体５０、側面筐体６０および背面筐体２２の位置関係の詳細については、後述する。バックライト収容体５０と背面筐体２２との間には、入力基板１４が固定されている。
【００２８】
バックライト収容体５０の前側の面の下部には、放熱板２１が固定されている。放熱板２１には、導光板１６の下面と白色ＬＥＤとが対向するようにＬＥＤ基板１７が固定されている。
【００２９】
表示装置１０の動作の概要を説明する。ＬＥＤ基板１７に搭載された白色ＬＥＤからの出射光は、導光板１６の下面に入射する。入射した光は、導光板１６および反射シート１８の作用により、平面光になって導光板１６の前側の広面から放射される。放射された平面光は、表示パネル１２の背面から前側に透過する。すなわち導光板１６、ＬＥＤ基板１７および放熱板２１は、表示パネル１２を背面から照明するバックライトを構成している。
【００３０】
入力基板１４から入力された映像信号に基づいて、表示パネル１２を構成する各画素がバックライトから放射された光を透過および遮蔽する。バックライトの作用により、ユーザは表示パネル１２に表示される映像を視認することができる。
【００３１】
ＬＥＤ基板１７に搭載された白色ＬＥＤは、発光に伴って熱も発生する。発生した熱は、放熱板２１およびバックライト収容体５０に伝わって拡散することにより、放熱が行われる。
【００３２】
図４は、側面筐体６０の斜視図である。図５は、側面筐体６０の部分拡大図である。図６は、側面筐体６０のVI−VI断面図である。図４から図６を使用して、側面筐体６０の形状を説明する。
【００３３】
図４は、側面筐体６０を前側からみた斜視図である。図５は、図４の左上部を拡大した部分拡大図である。図６は、側面筐体６０の上側の辺を左右に切断したVI−VI断面図である。なお、側面筐体６０の左側および右側の辺を上下に切断した断面も、図６と同様の形状である。
【００３４】
側面筐体６０は、矩形枠形状の背面枠部６１および背面枠部６１の周縁に前向きに立ち上がる外装部６２を備えた略Ｌ字断面の樹脂製部材である。側面筐体６０の上側、左側および右側の外装部６２の内面には、３辺にわたって連続する遮光部６５が設けられている。遮光部６５は、前側に前後方向に対して略垂直な面を有する筋状の突起である。背面枠部６１の前側の面には、バックライト収容体５０に当接する当接突部６６が複数設けられている。なお、側面筐体６０は一体構造でも良いし、複数の部材を組み合わせた構造でも良い。
【００３５】
図７は、表示装置１０の部分断面図である。図７を使用して、光の伝搬経路および光漏れを抑制する構造を説明する。図７は、表示装置１０の上部を左右に切断した部分断面図である。なお、表示装置１０の左側および右側を上下に切断した部分断面図も、図７と同様の形状である。
【００３６】
まず、前枠３０の形状について説明する。前枠３０は、表示パネル１２の辺縁部を覆う矩形枠形状の額縁前部３１および額縁前部３１の周縁に後ろ向きに立ち上がる額縁枠部３２を備えた略Ｌ字断面の部材である。額縁前部３１と額縁枠部３２とは略垂直である。額縁枠部３２には前述の複数の穴部３５が設けられている。前枠３０は、アルミニウム等の金属製である。なお、前枠３０は一体構造でも良いし、複数の部材を組み合わせた構造でも良い。
【００３７】
額縁枠部３２の内側に、収容縁部５２が位置している。収容縁部５２に固定された保持体４０により、額縁枠部３２と収容縁部５２とが所定の距離離れた状態で略平行に保持されている。
【００３８】
前枠３０の額縁枠部３２の外側は、側面筐体６０の外装部６２で覆われている。バックライト収容体５０の背面は、当接突部６６の前側の面に当接している。バックライト収容体５０の背面および側面筐体６０の背面枠部６１の辺縁部を除く部分は、背面筐体２２に覆われている。外装部６２の下面に設けられた遮光部６５の前側の面は、額縁枠部３２の後側の端面に対して寸法Ａを隔てて対向している。遮光部６５の下部は、額縁枠部３２の下面よりも上側に位置している。
【００３９】
前述のとおり、ＬＥＤ基板１７に実装された白色ＬＥＤから出射した光は、導光板１６の下側の側面から入射し、導光板１６および反射シート１８の作用により、平面光になって導光板１６の前側の広面から放射される。白色ＬＥＤからの出射光は、導光板１６の上側、左側および右側の側面からも漏れる。漏れた光のうち、白色の樹脂製の保持体４０に入射した光は、保持体４０の内部で散乱および反射を繰り返しながら保持体４０の内部を伝搬し、保持体４０の外表面から放射される。
【００４０】
ここで、保持体４０に白色の樹脂を使用する理由を説明する。表示パネル１２の辺縁部には、導光板１６からの光を遮蔽する黒体部１９が設けられている。ユーザが映像を視認できる表示部２５は、黒体部１９よりも内側の領域である。
【００４１】
光学シート１５と導光板１６とを保持するために、保持体４０の一部は導光板１６の辺縁部の前側を覆う。図７に示すように、保持体４０が導光板１６の前側を覆う部分は、黒体部１９よりも内側の領域である。したがって、仮に保持体４０に黒色の樹脂等の光を透過しにくい材料を使用すると、表示部２５の辺縁部は光量不足のために暗くなる。このような現象による映像の品位低下を防ぎ、表示部２５の縁まで均一な明るさの映像を表示するために、保持体４０には光を透過しやすい白色の樹脂を使用する。なお、保持体４０には、透明な樹脂を使用しても良い。
【００４２】
図７に３本の矢印で示すように、額縁枠部３２と収容縁部５２との間の空間に、保持体４０を伝搬した光が放射される。この光を遮光部６５が遮ることにより、光が前枠３０と外装部６２との間を通過して外部に漏れる光漏れを抑制する。
【００４３】
遮光部６５の作用について、さらに詳しく説明する。大型の表示装置１０では、各部材の寸法も大きいため、たとえば額縁枠部３２の外面と外装部６２の内面とを隙間の無いはめ合い構造にして光漏れを防止することは現実的では無い。容易に組立を行う為には、両者の間には隙間が必要である。同様に額縁枠部３２と背面枠部６１とを突き当て構造にして光漏れを防止することも現実的では無い。また、側面筐体６０と前枠３０との間に柔軟な遮光スペーサ等を挟んで光の通過する経路を塞ぐと、部品点数および組立工数が増加する。
【００４４】
額縁枠部３２の後側の端面に近接して対向した遮光部６５を設けることにより、保持体４０から照射された光は側面筐体６０と前枠３０との間にほとんど漏れなくなる。本件発明者らは検討を重ねた末に、額縁枠部３２の外側の面において、額縁枠部３２の後側の端面と遮光部６５の前側の面との間隔Ａを０．５ミリメートル程度にすることにより、側面筐体６０の歩留りおよび表示装置１０の組立の容易さを確保しながら、ユーザが感知できない程度に光漏れを低減できる事を見出した。なお、効果的に光漏れを低減するためには、図７に示すように、間隔Ａが収容縁部５２と額縁枠部３２との間の距離と同等であるか、それよりも短いことが望ましい。
【００４５】
本実施の形態によると、遮光スペーサ等を使用せずに、画面の明るさを均一にしながら光漏れを抑制した表示装置１０を提供することができる。
【００４６】
図７に示すように、額縁枠部３２の外面と外装部６２の内面との間の間隔は、前方ほど狭くなっている。このような構造により、ユーザが更に光漏れを視認しにくくすることができる。
【００４７】
額縁枠部３２の後側の端面と遮光部６５の前側の面との間隔Ａは０．５ミリメートルに限定しない。加工精度の高い製造装置等を使用できる場合には、間隔Ａを０．５ミリメートルより小さくしても良い。
【００４８】
ホームシアター等の照明を暗くした部屋で表示装置１０を使用する場合には、ユーザは光漏れに比較的気付きやすい。このような用途を想定した表示装置１０では、間隔Ａを０．５ミリメートルよりも小さく、例えば０．３ミリメートル程度にすることが望ましい。一方、デジタルサイネージ等、明るい場所で表示装置１０を使用する場合には、ユーザは比較的光漏れに気付きにくい。このような用途を想定した表示装置１０では、間隔Ａを０．５ミリメートルより大きく、例えば０．８ミリメートルまたは１．０ミリメートル程度にしても良い。
【００４９】
表示パネル１２は上下方向の方が左右方向よりも長い矩形、または正方形であっても良い。また表示パネル１２は、円形、楕円形等、矩形以外の形状であっても良い。更に、表示パネル１２は凹面または凸面形状であっても良い。このような形状の表示パネル１２を使用する場合には、表示パネル１２の形状に合わせて前枠３０、側面筐体６０等の各構成部材の形状を調整する。
【００５０】
側面筐体６０は、背面筐体２２と一体化して、表示装置１０の側面の外装部品と背面の外装部品とを兼ねても良い。
【００５１】
表示装置１０をテレビジョン受信機として使用する場合には、入力基板１４にテレビジョン放送のアンテナを接続するアンテナ端子およびテレビジョン放送の電波を受信するチューナ回路を備えたテレビジョン受信部を搭載する。テレビジョン受信部が受信した放送信号に所定の処理を行い、映像信号と音声信号とに分離する。映像信号に基づき表示パネル１２に映像を表示する。音声信号は図示しないスピーカーまたは音声出力端子を介して外部スピーカーから出力する。なお、入力基板１４に、アンテナ端子の代わりにテレビジョン放送受信用のアンテナを搭載しても良い。
【００５２】
表示装置１０をテレビジョン受信機として使用することにより、光漏れを抑制したテレビジョン受信機を提供する事ができる。
【００５３】
［実施の形態２］
本実施の形態は、保持体４０から放射された光を背面部５１の中央に向けて反射して減衰させる表示装置１０に関する。図８は、実施の形態２の表示装置１０の部分断面図である。図８を使用して、本実施の形態の表示装置１０の光漏れを抑制する構造について説明する。なお、実施の形態１と共通する部分については説明を省略する。
【００５４】
側面筐体６０は、背面枠部６１の外装部６２に沿った辺縁部に、背面枠部６１の他の部分に比べて肉厚である遮光部６５を備える。遮光部６５は、前側に前後方向に対して略垂直な面を有する。遮光部６５は、側面筐体６０の上側、右側、および左側の辺に沿って連続して設けられている。遮光部６５の前側の面は、額縁枠部３２と保持体４０との境界に対向する部分近傍でなだらかに後側に曲がり、反射面６８を形成している。
【００５５】
保持体４０から漏れだした光は、反射面６８により背面部５１の中央に向けて反射され、その後背面部５１と背面枠部６１または背面筐体２２との間で反射を繰り返しながら減衰する。そのため、バックライト収容体５０と側面筐体６０との間で乱反射した光が、遮光部６５と額縁枠部３２との間を通過して光漏れを生じることを抑制することができる。
【００５６】
なお、額縁枠部３２の外側の面において、額縁枠部３２の後側の端面と遮光部６５の前側の面との間隔Ａを０．５ミリメートル程度にすることにより、側面筐体６０の歩留りおよび表示装置１０の組立の容易さを確保しながら、ユーザが感知できない程度に光漏れを低減することが可能である。
【００５７】
本実施の形態によると、保持体４０から放射された光を背面部５１の中央部に向けて反射させるので、効果的に光漏れを抑制することができる。
【００５８】
さらに、本実施の形態の遮光部６５は、側面筐体６０の強度を保つ骨組を兼ねることができる。
【００５９】
［実施の形態３］
本実施の形態は、遮光部６５と額縁前部３１とを突き当てて光漏れを抑制する表示装置１０に関する。図９は、実施の形態３の側面筐体６０の部分断面図である。図１０は、実施の形態３の表示装置１０の部分断面図である。図９および図１０を使用して、本実施の形態の表示装置１０について説明する。なお、実施の形態１と共通する部分については説明を省略する。
【００６０】
図９を使用して、本実施の形態の遮光部６５の形状を説明する。遮光部６５は、外装部６２の内面の後側から前側に向かって突出し、先端に向けて薄くなったナイフエッジ状の突部である。当接突部６６と、外装部６２の内面とは離れている。
【００６１】
図１０を使用して、本実施の形態の光漏れを抑制する構造について説明する。遮光部６５の先端部分は、額縁枠部３２の後側の端面に当接し、変形している。保持体４０を伝搬し、額縁枠部３２と収容縁部５２との間に照射された光は、遮光部６５に遮られるので、光漏れを抑制することができる。
【００６２】
すなわち、本実施の形態においては、額縁枠部３２の外側の面において、額縁枠部３２の後側の端面と遮光部６５の前側の面との間隔は０ミリメートルである。
【００６３】
額縁枠部３２の外面と外装部６２の内面とはほぼ平行であり、前側で外装部６２の内面が若干広がっており、側面筐体６０に前枠３０を挿入しやすくなっている。
【００６４】
本実施の形態によると、ナイフエッジ状の遮光部６５の変形により、表示装置１０の各部品の寸法誤差を吸収して、組立の容易さを阻害せずに光漏れを抑制した表示装置１０を提供することができる。
【００６５】
［実施の形態４］
本実施の形態は、背面枠部６１の縁から前向きに遮光部６５が突き出す表示装置１０に関する。図１１は、実施の形態４の表示装置１０の部分断面図である。図１１は、図７と同様に、表示装置１０の上部を左右に切断した断面図である。図１１を使用して、本実施の形態の光漏れを抑制する構造を説明する。なお、実施の形態１と共通する部分については説明を省略する。
【００６６】
遮光部６５は、背面枠部６１の縁から前向きに突出する。遮光部６５の断面形状は、略台形である。遮光部６５の上側の面は、外装部６２の下側の面と略平行である。遮光部６５の前側の面の上端部は、額縁枠部３２の後側の端面の下端部と対向しており、両者の間の距離は間隔Ａである。遮光部６５の上側の面は、額縁枠部３２の下側の面よりも上側に位置している。間隔Ａは、図１１に示すように、収容縁部５２と額縁枠部３２との間の距離よりも短い。
【００６７】
外装部６２は、中央部がわずかに盛り上がった板状である。外装部６２と遮光部６５との間には、略Ｕ字形断面の溝部６７が設けられている。溝部６７の底は、背面枠部６１の前側の面よりも後方に位置している。
【００６８】
本実施の形態の遮光部６５の作用について説明する。図１１に３本の矢印で示すように、額縁枠部３２と収容縁部５２との間の空間に、保持体４０を伝搬した光が放射される。この光は、大半が遮光部６５の前側の面で反射して、保持体４０の方に戻る。光の一部は、遮光部６５の下側の面で反射して、バックライト収容体５０に向かう。このように遮光部６５が光を遮ることにより、光が前枠３０と外装部６２との間を通過して外部に漏れる光漏れを抑制する。
【００６９】
図１２は、実施の形態４の表示装置１０の側面筐体６０が変形した状態を説明する部分断面図である。図１２は、図１１と同じ部分の表示装置１０の断面を示す。図１２に示す側面筐体６０は、額縁枠部３２から離れる向きに浮き上がった状態になっている。
【００７０】
図１２に示す状態では、額縁枠部３２と外装部６２との間の隙間は図１１に示す状態に比べて大きくなっている。しかし、遮光部６５の前側の面と、額縁枠部３２の後側の端面との間の距離は間隔Ａのままであり、両者が向かい合う部分は長くなっている。そのため、光は図１１を使用して説明した状態に比べて遮光部６５と額縁枠部３２との間の隙間を通り抜けにくい。以上により、本実施の形態の表示装置１０は、側面筐体６０が額縁枠部３２から離れる向きに浮き上がった場合であっても、光漏れを防止することが可能である。
【００７１】
本実施の形態の溝部６７の作用について説明する。溝部６７が存在することにより、外装部６２は全体が略同一の厚さになっている。そのため、射出成型により側面筐体６０を製作する場合に、いわゆるヒケによる外観不具合が発生しにくい。
【００７２】
各実施例で記載されている技術的特徴（構成要件）はお互いに組合せ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味および範囲内でのすべての変更が含まれることが意図される。
【００７３】
以上のように、本発明にかかる表示装置１０は、映像を表示する表示パネル１２と、前記表示パネル１２の背面に配置されたバックライトの側面を覆う収容縁部５２を有し、前記バックライトを収容するバックライト収容体５０と、前記表示パネル１２の側面と前記収容縁部５２とを覆う額縁枠部３２を有し、前記表示パネル１２の縁を覆う前枠３０と、前記額縁枠部３２を覆う外装部６２を有する側面筐体６０と、前記側面筐体６０の内側に、前記表示パネル１２の背面側を向いた前記額縁枠部３２の端面に対向して設けられており、前記額縁枠部３２との間の距離が前記収容縁部５２と前記額縁枠部３２との間の距離よりも短い遮光部６５とを備えることを特徴とする。
【００７４】
本発明にあっては、バックライト収容体５０の外側に漏れたバックライトの光は、遮光部６５に遮られるので、画面の明るさを均一にしながら前枠３０と側面筐体６０との間からの光漏れを抑制した表示装置１０を提供することができる。
【００７５】
本発明にかかる表示装置１０は、前記遮光部６５は、前記外装部６２の内面に前記端面に沿って設けられた突部であることを特徴とする。
【００７６】
本発明にあっては、遮光部６５は側面筐体６０の一部として一体的に設けられるので、部品点数を増やすことなく光漏れを抑制した表示装置１０を提供することができる。
【００７７】
本発明にかかる表示装置１０は、前記側面筐体６０は、前記外装部６２と連続しており前記バックライト収容体５０の背面の縁を覆う背面枠部６１を備え、前記遮光部６５は、前記背面枠部６１が前記外装部６２に移行する部分に設けられていることを特徴とする。
【００７８】
本発明にあっては、遮光部６５は側面筐体６０の内面の一部として一体的に設けられるので、部品点数を増やすことなく光漏れを抑制した表示装置１０を提供することができる。
【００７９】
本発明にかかる表示装置１０は、前記額縁枠部３２と前記遮光部６５との間の距離が０．５ミリメートル以下であることを特徴とする。
【００８０】
本発明にあっては、側面筐体６０の歩留りおよび表示装置１０の組立の容易さを確保しながら、ユーザが感知できない程度に光漏れを低減した表示装置１０を提供することができる。
【００８１】
本発明にかかるテレビジョン受信機は、上述のいずれか一つに記載の表示装置１０と、テレビジョン放送を受信する受信部とを備え、前記受信部にて受信したテレビジョン放送に基づいて、前記表示装置１０に映像を表示するようにしてあることを特徴とする。
【００８２】
本発明にあっては、光漏れを抑制した表示装置１０を用いたテレビジョン受信機を提供する事ができる。
【符号の説明】
【００８３】
１０  表示装置
１２  表示パネル
１３  脚
１４  入力基板
１５  光学シート
１６  導光板
１７  ＬＥＤ基板
１８  反射シート
１９  黒体部
２１  放熱板
２２  背面筐体
２５  表示部
３０  前枠
３１  額縁前部
３２  額縁枠部
３５  穴部
４０  保持体
５０  バックライト収容体
５１  背面部
５２  収容縁部
５５  爪部
６０  側面筐体
６１  背面枠部
６２  外装部
６５  遮光部
６６  当接突部
６７  溝部
６８  反射面
【図１】
2016213814.tif 000003
【図２】
2016213814.tif 000004
【図３】
2016213814.tif 000005
【図４】
2016213814.tif 000006
【図５】
2016213814.tif 000007
【図６】
2016213814.tif 000008
【図７】
2016213814.tif 000009
【図８】
2016213814.tif 000010
【図９】
2016213814.tif 000011
【図１０】
2016213814.tif 000012
【図１１】
2016213814.tif 000013
【図１２】
2016213814.tif 000014